(57)【要約】【課題】軽量で、簡単に取り付けられ、フォークから外れることがなく、かつ簡単に取り外しが可能で、しかも路面の凹凸面や塀等を傷付けることなく簡単に除雪等ができ、安価に製作できる優れたフォークリフト用雪かき等のブレードの提供。【解決手段】本考案のフォークリフト用雪かき等のブレードは、フォークリフトのＬ型に形成されたフォークにブレード５を着脱自在に取り付けることができ、該ブレード５は、フォーク２を挿入する鞘６１，６２と該鞘を固定する鞘固定部材８とブレード本体固定部材７を一体に有し、更に前記ブレード５は、ブレード本体５ａの地面に接触しうる下端部に少なくともブレード本体の横幅よりも長いゴム板１０を有すると共に該ブレード５には外れ防止部材４を有する。またブレード本体５ａは、下端を起点にして直角方向に対して角度θの方向に上端を有し、更にブレード本体は、曲率半径が４００ｍｍ±５０ｍｍである。【選択図】図１
0003169205.tif 000002
【実用新案登録請求の範囲】
【請求項１】
フォークリフトのＬ型に形成されたフォークに雪かき等のブレードを着脱自在に取り付けることができるフォークリフト用雪かき等のブレードにおいて、該ブレードは、フォークを挿入する鞘と該鞘を固定する鞘固定部材とブレード本体固定部材を一体に有し、更に前記ブレードは、ブレード本体の地面に接触しうる下端部に少なくともブレード本体の横幅よりも長いゴム板を有すると共に該ブレードには外れ防止部材を有することを特徴とするフォークリフト用雪かき等のブレード。
【請求項２】
前記ブレード本体の下方に該ブレード本体の弧の上端が下端より前方に位置するように位置決め部材を設けたことを特徴とする請求項１に記載のフォークリフト用雪かき等のブレード。
【請求項３】
前記ブレード本体の下端と上端の位置関係において、下端を起点にして直角方向に対して角度θの方向に上端を有していることを特徴とする請求項１又は請求項２に記載のフォークリフト用雪かき等のブレード。
【請求項４】
前記ブレード本体は、曲率半径が４００ｍｍ±５０ｍｍであることを特徴とする請求項１乃至請求項３のいずれかに記載のフォークリフト用雪かき等のブレード。
【考案の詳細な説明】
【技術分野】
【０００１】
本考案は、フォークリフト用雪かき等のブレードに関するもので、更に詳しくは、簡単に取り付けられ、また取り外しが可能な、しかも地面又は路面等（以下、路面ともいう。）の凹凸面や塀、壁や木等（以下、塀等ともいう。）のある付近も傷付けることなく簡単に除雪等ができ、低コストで製作できる点からみて経済性にも優れたフォークリフト用雪かき等のブレードに関する。
【背景技術】
【０００２】
雪の深い地方では、冬季に入ると除雪車で道路や工場内の除雪を行うことが行われているが、雪があまり降らない地方や降る雪の量が少ない地方では除雪車のような大掛かりな作業で除雪するには、作業効率が悪いばかりか除雪車を購入する経費の点からみて望ましいことではなく、通常、例えば、工場内であれば、雪かきスコップなどを用いて人力で雪かきを行っていることが通常であり、出勤時刻前や出勤後に、通路内の雪を除去することが行われている。このような中で、除雪車を用いることなく、動力を用いて除雪することも行われており、例えば、フォークリフトを利用した簡易なフォークリフトのフォークに除雪用ブレードを取り外し自在に取り付けて除雪するフォークリフト用除雪アタッチメントが知られている（例えば、特許文献１参照）。一方、通常、一般的に除雪車といわれるものが開示されており、この除雪車のブレードの路面側にウレタンゴム製のクッション部材を設けられているものが開示されている（例えば、特許文献２参照）。更に、降雪寒冷地では、道路上の積雪が歩行者や車両の跡が凍結して歩き難いばかりでなく、極めて滑り易くなっており、転倒事故や車両のスリップ事故などが発生し易くなっている。これを防止する除雪ブレードとして、平坦形状を有する第１のエッジ部とこれと対向する位置に、櫛齒形状を有する第２のエッジを有する除雪ブレード用エッジが着脱可能に取り付けた除雪ブレードが用いられることが開示されている（例えば、特許文献３参照）。
【先行技術文献】
【特許文献】
【０００３】
【特許文献１】特開平１０−８８５４３公報（特許請求の範囲請求項１、段落００１１〜段落００１４、図３）
【特許文献２】特開２００９−３５９４３（段落０００２、図１、図９）
【特許文献３】特開２００１−３３２９（段落０００２、段落０００９、図５）
【考案の概要】
【考案が解決しようとする課題】
【０００４】
しかしながら、前述の如き特許文献１に記載されている如きフォークリフト用除雪アタッチメントは、底板、除雪板補強板の数やコの字形鞘を底板に取り付けるなどその構造が複雑で、かつフォークリフトのフォークの取り付けも複雑であり、簡単に取り付けられないという問題がある。また特許文献２及び３に記載のブレードは、通常、除雪車と言われるものに取り付けられているブレードに係る発明であり、特許文献２に記載の発明は、金属製の重いブレードが取り付けられているために、道路上の雪を取り除くときに、ブレードが路面に接触すると、路面が削り取られてしまうという問題がある。更に特許文献３に記載のブレードは、特に、凍結路面に使用されるものであり、そのためにスライドブレードにエッジを取り付けてエッジ部を櫛齒形状とし、その対向側を平坦形状に形成したものであるが、凍結路面に使用するとき、エッジが凍結路面に接触すると、路面が削り取られてしまうという問題があるばかりでなく、これらの車両は、通常、除雪車であるので、道路の除雪が主であるため、小規模の工場内の敷地や路面などでは大型で小回りが利かない点で、その作業・操作を綿密に行うことができないという問題がある。
【０００５】
そこで、本考案者は、上記問題点について種々検討するなか、フォークリフトを動力源として利用した除雪用フォークリフトにおいて、フォークに着脱自在に取り付けて除雪を行うブレードにおける問題点を種々検討したところ、ブレードの路面側の端部にゴム板を取り付け、フォークを挿入する鞘と該鞘を固定する鞘固定部材とブレード固定部材を一体に有し、更に外れ防止部材を有するという簡単な構成で、軽量で簡単に取り付けられ、また取り外しが可能な、しかも路面の凹凸面や塀等のある付近も傷付けることなく簡単に除雪等ができ、低コストで容易に製作できる点からみて経済性にも優れていることを見出し、ここに、本考案を案出するに至った。
【０００６】
したがって、本考案が解決しようとする課題は、軽量で、簡単に取り付けられると共にフォークから外れることがなく、また簡単に取り外しが可能な、しかも路面の凹凸面や塀等のある付近も傷付けることなく簡単に除雪等ができ、低コストで容易に製作できる点からみて経済性にも優れたフォークリフト用雪かき等のブレードを提供することにある。
【課題を解決するための手段】
【０００７】
本考案の上記各課題は、以下の各考案によってそれぞれ達成される。
【０００８】
（１）フォークリフトのＬ型に形成されたフォークに雪かき等のブレードを着脱自在に取り付けることができるフォークリフト用雪かき等のブレードにおいて、該ブレードは、フォークを挿入する鞘と該鞘を固定する鞘固定部材とブレード本体固定部材を一体に有し、更に前記ブレードは、ブレード本体の地面に接触しうる下端部に少なくともブレード本体の横幅よりも長いゴム板を有すると共に該ブレードには外れ防止部材を有することを特徴とするフォークリフト用雪かき等のブレード。
（２）前記ブレード本体の下方に該ブレード本体の弧の上端が下端より前方に位置するように位置決め部材を設けたことを特徴とする前記第１項に記載のフォークリフト用雪かき等のブレード。
（３）前記ブレード本体の下端と上端の位置関係において、下端を起点にして直角方向に対して角度θの方向に上端を有していることを特徴とする前記第１項又は第２項に記載のフォークリフト用雪かき等のブレード。
（４）前記ブレード本体は、曲率半径が４００ｍｍ±５０ｍｍであることを特徴とする前記第１項乃至第３項のいずれかに記載のフォークリフト用雪かき等のブレード。
【考案の効果】
【０００９】
本考案の第１項に記載のフォークリフト用雪かき等のブレードによれば、フォークリフトのＬ型に形成されたフォークに雪かき等のブレードを着脱自在に取り付けることができるフォークリフト用雪かき等のブレードにおいて、該ブレードは、フォークを挿入する鞘と該鞘を固定する鞘固定部材とブレード本体固定部材を一体に有し、更に前記ブレードは、ブレード本体の地面に接触しうる下端部に少なくともブレード本体の横幅よりも長いゴム板を有すると共に該ブレードには外れ防止部材を有することにより、軽量で、簡単に取り付けられると共にフォークから外れることがなく、また簡単に取り外しが可能な、しかも路面の凹凸面や塀等のある付近も傷付けることなく簡単に除雪等ができ、低コストで容易に製作できる点からみて経済性にも優れたフォークリフト用雪かき等のブレードが得られるという優れた効果を奏するものである。特に前記ブレードは、ブレード本体の路面に接触しうる下端部に少なくともブレードの横幅よりも長いゴム板を有することにより、塀等のある付近も傷付けることなく簡単に除雪等ができるという優れた効果を奏するものである。
【００１０】
また上記の本考案の第２項に記載のフォークリフト用雪かき等のブレードは、前記ブレード本体の下方に該ブレード本体の弧の上端が下端より前方に位置するように位置決め部材を設けたことにより、除雪中、雪をブレードの弧にそって容易に押し上げて除去することができるので、必要以上の力を加えることなく簡単に除雪等ができる角度に容易に設定することができるという優れた効果を奏するものである。上記の本考案の第３項に記載のフォークリフト用雪かき等のブレードは、前記第１項又は第２項に記載のフォークリフト用雪かき等のブレード本体の下端と上端の位置関係において、下端を起点にして直角方向に対して角度θの方向に上端を有していることにより、除雪中、雪をブレードの弧に沿って容易に押し上げて除去することができるので、必要以上の力を加えることなく簡単に除雪等ができるという優れた効果を奏するものである。
【００１１】
上記の本考案の第４項に記載のフォークリフト用雪かき等のブレードは、前記第１項乃至第３項のいずれかに記載のフォークリフト用雪かき等のブレードにおいて、前記ブレード本体は、曲率半径が４００ｍｍ±５０ｍｍであることにより、市販の材料で簡単にブレード本体を製作でき、しかも除雪に適した形状を有するものであって、安価に製作が容易であるという優れた効果を奏するものである。
【図面の簡単な説明】
【００１２】
【図１】本考案のフォークリフト用雪かき等のブレードをフォークリフトのフォーク取付部材に取り付けたところを示す斜視図である。
【図２】本考案に用いられるフォークリフト用雪かき等のブレードを示す展開斜視図である。
【図３】本考案に用いられるゴム板をブレード本体に取り付けたところを示す平面図である。
【図４】本考案のフォークリフト用雪かき等のブレードをフォークリフトのフォーク取付部材に取り付けたところを示す側面図である。図４の円Ｂは、円Ａの拡大図を示す。
【図５】本考案のフォークリフト用雪かき等のブレードにおいて、ブレード本体の下端と上端の位置関係を示す側面図である。
【考案を実施するための形態】
【００１３】
以下に、本考案の実施の形態を図面で説明するが、本考案は、これに限定されるものではない。本願実用新案登録請求の範囲及び明細書中で、「フォークリフト用雪かき等のブレード」という記載の「雪かき等」の表現は、雪かきや泥かき又は木の葉や砂、砂利などを含む意味に使用している。本考案は、フォークリフトのＬ型に形成されたフォークに雪かき等のブレードを着脱自在に取り付けることができるフォークリフト用雪かき等のブレードにおいて、該ブレードは、フォークを挿入する鞘と該鞘を固定する鞘固定部材とブレード本体固定部材を一体に有し、更に前記ブレードは、ブレード本体の路面に接触しうる下端部に少なくともブレード本体の横幅よりも長いゴム板を有すると共に該ブレードには外れ防止部材を有することを特徴とするフォークリフト用雪かき等のブレードである。
【００１４】
図１は、フォークリフト用雪かき等のブレードＩを示す斜視図であり、図２は、フォークリフト用雪かき等のブレードＩを示す展開図である。図１及び図２において、本考案に用いられる鞘６１，６２は、鋼製ブレード本体５ａに２個、平行に取り付けられ、またこれらの鞘６１，６２は、フォーク２、２を挿入する点からみて、フォーク２、２の断面形状に対応した形状が好ましく、通常、フォーク２、２は、断面長方形を有しているので、断面長方形の筒状体が用いられる。通常、鞘はフォークに合わせて２個有するので、これらの鞘を固定する鞘固定部材８を有している。また上記の鋼製ブレード本体５ａは、更に強固に固定するためにブレード固定部材７を有している。このブレード固定部材７は、鋼製ブレード本体５ａの裏側の中央上部でブレード固定部材７の一方の端部と固着され、また他方の端部は、鞘固定部材８の中央部で固着される。本考案に用いられる鋼製ブレード本体５ａとしては、鋼管の断面円周を３分の１ずつ当分割して作製する。１つの鋼管で３個の鋼製ブレード本体５ａを作製することができ、経済的にも好ましい。具体的には、鋼製ブレード本体５ａの管の直径は３００ｍｍ〜６００ｍｍであり、一例では４００ｍｍが好ましい。また鋼製ブレード本体５ａの曲率半径は、４００ｍｍ±５０ｍｍであり、好ましくは４１８ｍｍである。
【００１５】
更に本考案に用いられる鋼製ブレード本体５ａの路面側端部５１にゴム板１０がクランプ９を介して設置されている。鋼製ブレード本体５ａの路面側端部５１、ゴム板１０、クランプ９には、これらが対応する位置に順にボルト孔１２，１３，１４が設けられている。図４の円Ｂに示すように、鋼製ブレード本体５ａの路面側端部５１、ゴム板１０、クランプ９に有するボルト孔１２，１３，１４に、ボルト１１を通し、ナット１１ａで締めて固定されている。図３において、図３のａのように、幅の狭いゴム板で片面１０ｃだけが使用できるタイプと、図３のｂのように、ゴム板の幅１７，１８が広く両面の長手方向端部１０ｃ、１０ｄが使用できるタイプがあり、好みに応じて使用することができる。ゴム板１０は、更に図５に示されるように、鞘６１，６２と鋼製ブレード本体５ａとを固定する際、鋼製ブレード本体５ａの上端５３と下端５４との位置関係が、下端５４を起点にして直角方向に対して下端５４から上端５３の方向にθの角度前方に上端５３が位置するように固定される。このように固定することにより、除雪中雪をブレードの弧に沿って容易に押し上げて除去することができるので、必要以上の力を加えることなく簡単に除雪等ができる。角度θは、０°〜２０°であり、好ましくは、１５°〜２０°である。更に好ましくは２０°である。
【００１６】
本考案に用いられる鋼製ブレード本体５ａは、フォークリフトの進行方向に直角に取り付けられている例を示して説明したが、必要に応じて鋼製ブレード本体５ａの傾きを路面脇側のいずれかの方向に向けた構造としてもよい。ここで、フォークリフト（フォークリフト自体は図示していない。）のフォーク２，２について説明すると、図１に示されるように、フォークリフトには、その前面にフォーク取付部材１が取り付けられており、このフォーク取付部材にＬ型に形成されたフォーク２、２が取り付けられている。このフォーク２、２は、フォークリフトに取り付けられているような一般的なフォークでよく、通常、Ｌ型形状を有し、このＬ型形状は、縦部材２１と横部材２２とからなるが、縦部材２１と横部材２２とを溶接等により結合したものでも、捧状部材をＬ型に折り曲げ加工したものでもよい。好ましくは後者のように捧状部材をＬ型に折り曲げ加工するなど一体に加工して形成したものが好ましい。これらフォーク２、２は、これらに限定されるものではない。
【００１７】
本考案では、鞘６１，６２にフォーク２，２を挿入した後、ブレード５の鞘６１，６２が抜けることがないように外れ防止部材として、鎖４をフック３に係留しておく。即ち、本考案は、ブレード５の鞘６１，６２にフォークリフトのフォーク２，２を挿入した後、雪かき中に鞘６１，６２がフォーク２，２から外れないように鎖４でフォーク取付部材１に有するフック３と鋼製ブレード本体５ａの所定位置で取り外し可能に係留されている。このフォーク２，２に対する、鞘６１，６２の固定手段は、鎖４に限らず、他の手段、例えば、鞘６１，６２にねじ孔をそれぞれ１個又は２個以上設けてねじでフォーク２，２を押圧固定して鞘６１，６２が抜けるのを防止してもよい。このようにフォークリフトに取り付けられたフォークリフト用雪かき等のブレードＩは、鋼製ブレード本体５ａの路面側に設置されたゴム板１０により、敷地内の雪かきされる路面が凸凹であっても、路面を削り取られることなく、路面の凹凸に沿って雪かきや泥かき等がされる。またゴム板１０の横幅１０ａ、１０ｂが鋼製ブレード本体５ａの横幅より広いので、塀や壁又は樹木などを傷つけることなく、大掛かりな除雪車などを使用することなくフォークリフトを操作する用務員などが、社員が出勤する前に簡単かつ容易に雪かきをすることができる。またフォークリフト用雪かき等のブレードＩを使用しないとき、又は冬季が過ぎ、保管する場合にもコンパクトであるので、容易に保管場所などへ持って行きかつ保管することができる利点がある。
【産業上の利用可能性】
【００１８】
本考案では、前述の如き作用効果を発揮するので、冬季にあまり雪が降らないような地域などにおいて、雪かきが必要になったとき、簡単に取り出し、簡単な操作でフォークリフトに取り付けて路面や弊、壁等を傷つけることなく雪かき等をすることができる点で、実用上極めて有用なフォークリフト用雪かき等のブレードが得られる。
【符号の説明】
【００１９】
１  フォーク取付部材
１ａ、１ｂ  桟部材
２  フォーク
３  フック
４  外れ防止部材（鎖）
５  ブレード
５ａ  鋼製ブレード本体
６１、６２  鞘又はフォーク嵌合部材
７  ブレード本体固定部材
８  鞘固定部材
９  クランプ
１０  ゴム板
１０ａ、１０ｂ  ゴム板端部の横幅
１０ｃ、１０ｄ  幅
１１  ボルト
１２、１３、１４  ボルト取付孔
１５  Ｌ型固定部材
１６  位置決め部材（又は鞘支持部材）
１７，１８  ゴム板長手方向端部
２１  縦部材
２２  横部材
５１  鋼製ブレード本体の路面側端部
５２  鋼製ブレード本体の上端部
５３  鋼製ブレード本体の上端
５４  鋼製ブレード本体の下端
Ｉ  フォークリフト用雪かき等のブレード
【図１】
0003169205.tif 000003
【図２】
0003169205.tif 000004
【図３】
0003169205.tif 000005
【図４】
0003169205.tif 000006
【図５】
0003169205.tif 000007